(57)【要約】【課題】人の視界の全域に亘る視界性を確保しつつ、十分な紫外線カット効果を得ることができる首筋日除け帽子を提供する。【解決手段】人の頭頂部を覆う帽子本体２から後方に垂れ下がるように設けられて人の首筋を日差しから保護する日除け部４を備える首筋日除け帽子１において、人の顔を日差しから保護するための庇部３を、紫外線遮蔽機能を有する透光性部材で構成し、かつ帽子本体２の左右両側部から前部に亘ってその帽子本体に対し下方に傾斜を付して外向きに扇形状に張り出すように設けるものとする。【選択図】図１
0003179068.tif 000002
【実用新案登録請求の範囲】
【請求項１】
人の頭頂部を覆う帽子本体から後方に垂れ下がるように設けられて人の首筋を日差しから保護する日除け部を備える首筋日除け帽子において、
人の顔を日差しから保護するための庇部を、紫外線遮蔽機能を有する透光性部材で構成し、かつ前記帽子本体の左右両側部から前部に亘ってその帽子本体に対し下方に傾斜を付して外向きに扇形状に張り出すように設けることを特徴とする首筋日除け帽子。
【請求項２】
前記帽子本体の後部に、スリットが設けられる請求項１に記載の首筋日除け帽子。
【考案の詳細な説明】
【技術分野】
【０００１】
本考案は、顔や首筋などを日差しからガードするのに用いられて好適な首筋日除け帽子に関するものである。
【背景技術】
【０００２】
従来、この種の帽子として、例えば特許文献１にて提案されている首部日除付き帽子がある。
【先行技術文献】
【特許文献】
【０００３】
【特許文献１】特開２００２−２７５７２２号公報
【０００４】
この特許文献１に係る帽子は、帽子本体部の前部に鍔部を設けるとともに、帽子本体部の後部に紫外線等の太陽光線を遮蔽する日除部を設け、日除部の帽子本体部との接続部の両端部が、鍔部の帽子本体部との接続部の両端部上に覆いかぶさるように形成してなるものである。
【０００５】
ところで、上記の特許文献１の帽子において、鍔部は、帽子本体部の前部から前方に張り出されている。
このため、側方から顔面に向かって差し込もうとする日差しを鍔部で遮ることができず、顔面に当たる紫外線の照射量を十分に抑えることができないという問題点がある。
【考案の概要】
【考案が解決しようとする課題】
【０００６】
本考案は、前述のような問題点に鑑みてなされたもので、人の視界の全域に亘る視界性を確保しつつ、十分な紫外線カット効果を得ることができる首筋日除け帽子を提供することを目的とするものである。
【課題を解決するための手段】
【０００７】
前記目的を達成するために、本考案による首筋日除け帽子は、
人の頭頂部を覆う帽子本体から後方に垂れ下がるように設けられて人の首筋を日差しから保護する日除け部を備える首筋日除け帽子において、
人の顔を日差しから保護するための庇部を、紫外線遮蔽機能を有する透光性部材で構成し、かつ前記帽子本体の左右両側部から前部に亘ってその帽子本体に対し下方に傾斜を付して外向きに扇形状に張り出すように設けることを特徴とするものである（第１考案）。
【０００８】
本考案において、前記帽子本体の後部に、スリットが設けられるのが好ましい（第２考案）。
【考案の効果】
【０００９】
本考案の首筋日除け帽子においては、人の顔を日差しから保護するための庇部が、紫外線遮蔽機能を有する透光性部材で構成され、かつ帽子本体の左右両側部から前部に亘ってその帽子本体に対し下方に傾斜を付して外向きに扇形状に張り出すように設けられる。これにより、庇部を通して前方および側方の景色等を見ることができるとともに、前方や側方から顔面に向かって差し込もうとする日差しを庇部で遮ることができる。したがって、人の視界の全域に亘る視界性を確保しつつ、十分な紫外線カット効果を得ることができるという効果がある。
【００１０】
また、第２考案の構成を採用することにより、帽子本体内に流れてくる空気を、スリットを通して後方に抜くことができるので、風によって帽子が飛ばされてしまうのを未然に防ぐことができる。また、スリットを通して髪を帽子の外に出すことができるので、例えばポニーテールの髪型の人でも、結った髪の部分を、スリットを通して帽子の外に出すような帽子の被り方をすれば、良好なフィット感でもって帽子を被ることができる。
【図面の簡単な説明】
【００１１】
【図１】本考案の一実施形態に係る首筋日除け帽子の使用状態を表わす斜視図
【図２】本実施形態の首筋日除け帽子の平面図
【考案を実施するための形態】
【００１２】
次に、本考案による首筋日除け帽子の具体的な実施の形態について、図面を参照しつつ説明する。
【００１３】
＜首筋日除け帽子の概略説明＞
図１に示されるように、本実施形態に係る首筋日除け帽子１は、帽子本体２に庇部３と日除け部４とが取り付けられて構成されている。
【００１４】
＜帽子本体の説明＞
帽子本体２は、例えばポリエステルや綿、あるいはこれらの混紡素材などからなる布地で作製され、人の頭頂部を覆うように被せることができるような略半球形状に形成されている。
図２に示されるように、帽子本体２の後部中間位置には、縦方向にスリット５が設けられ、このスリット５に対応するように、帽子本体２の裏地には、そのスリット５を覆うようにメッシュ状の帯状布６が取り付けられている。
また、帽子本体２の左右両側部から後部に亘る部分には、リボン７がその帽子本体２の外周部に巻き掛け装着されている。このリボン７は、エレガントに見せるための装飾としての役目は勿論のこと、使用者の頭の大きさに合わせて帽子本体２の大きさを調整する役目をしたり、風等で帽子１が吹き飛ばされないように帽子１を使用者の頭に固定する役目をしたりする。
なお、本実施形態では、リボン７を蝶々結びにした例を示したが、リボン７にフリルやレースなどを付設する態様もあり得る。
【００１５】
＜庇部の説明＞
庇部３は、人の顔を日差しから保護するためのもので、紫外線遮蔽機能を有する例えばポリカーボネートなどの透光性部材で構成されている。
庇部３は、帽子本体２の左右両側部から前部に亘ってその帽子本体２に対し下方に傾斜を付して外向きに平面視（図２参照）で扇形状に張り出す形状に形成され、その内周縁が帽子本体２の周縁に縫い付けられている。
庇部３の両端縁と外周縁とには、帯状の布製テープ８が縫い付けられている。この布製テープ８は、縁部を保護するとともに、デザイン上、アクセントを持たせるなど役目をする。
【００１６】
＜日除け部の説明＞
日除け部４は、帽子本体２と同様に、例えばポリエステルや綿、あるいはこれらの混紡素材などからなる布地で作製されている。
日除け部４は、帽子本体２の左右両側部から後部に亘ってその帽子本体２から外向きに平面視（図２参照）で扇形状に張り出す形状に形成され、その内周縁が帽子本体２の周縁に縫い付けられるとともに、その両端縁が庇部３の両端縁に縫い付けられ、人の首筋を日差しから保護するために、使用時には図１に示されるように後方に垂れ下がって首筋を覆うことができるように設けられている。
日除け部４には、所要のフリル９が設けられている。このフリル９は、エレガントに見せるための装飾としての役目は勿論のこと、首筋や肩のラインに合わせて日除け部４をフィットさせる役目をする。
【００１７】
＜作用効果の説明＞
以上に述べたように構成される首筋日除け帽子１によれば、以下のような作用効果を得ることができる。
（１）庇部３を通して前方および側方の景色等を見ることができるとともに、前方や側方から顔面に向かって差し込もうとする日差しを庇部３で遮ることができるので、人の視界の全域に亘る視界性を確保しつつ、十分な紫外線カット効果を得ることができる。
（２）帽子本体２内に流れてくる空気を、スリット５を通して後方に抜くことができるので、風によって帽子が飛ばされてしまうのを未然に防ぐことができる。
（３）スリット５を通して髪を帽子の外に出すことができるので、例えばポニーテールの髪型の人でも、結った髪の部分を、スリット５を通して帽子の外に出すような帽子の被り方をすれば、良好なフィット感でもって帽子を被ることができる。
【００１８】
以上、本考案の首筋日除け帽子について、一実施形態に基づいて説明したが、本考案は上記実施形態に記載した構成に限定されるものではなく、その趣旨を逸脱しない範囲において適宜その構成を変更することができるものである。
【産業上の利用可能性】
【００１９】
本考案の首筋日除け帽子は、人の視界の全域に亘る視界性を確保しつつ、十分な紫外線カット効果を得ることができるという特性を有していることから、顔や首筋の紫外線からの保護の用途に好適に用いることができる。
【符号の説明】
【００２０】
１      首筋日除け帽子
２      帽子本体
３      庇部
４      日除け部
５      スリット
【図１】
0003179068.tif 000003
【図２】
0003179068.tif 000004